(57)【要約】【課題】本発明は、アッパー側部後方からアッパー後部の間の適宜位置にスライドアジャスタを設けたシューズであって、脱着が極めて容易なシューズを提供することを目的とするものである。【解決手段】本発明のシューズは、アッパー側部後方からアッパー後部の間の適宜位置にスライドアジャスタを設けたシューズであって、該スライドアジャスタはバンドとバックルからなり、バンドに形成した鋸歯状の係合溝にバックルの係合爪を係合させ該係止状態においてバンドはバックルに接近自在であるが後退不能とされたことを特徴とする。ことを特徴とする。【選択図】図１
2014217531.tif 000002
【特許請求の範囲】
【請求項１】
アッパー側部後方からアッパー後部の間の適宜位置にスライドアジャスタを設けたシューズであって、
該スライドアジャスタはバンドとバックルからなり、バンドに形成した鋸歯状の係合溝にバックルの係合爪を係合させ該係止状態においてバンドはバックルに接近自在であるが後退不能とされたことを特徴とするシューズ。
【請求項２】
前記アッパー側部後方と前記アッパー後部との間にスライドアジャスタを設けた請求項１記載のシューズ。
【請求項３】
前記アッパー後部にスライドアジャスタを設けた請求項１記載のシューズ。          
【請求項４】
前記バックルと前記バンドとの間に伸縮性素材を設けた請求項１〜３のいずれかに記載のシューズ。
【請求項５】
アッパー上部に横幅のサイズ調整をすることができるスライドアジャスタを設けた請求項１〜４のいずれかに記載のシューズ。  
【発明の詳細な説明】
【技術分野】
【０００１】
この発明は、スライドアジャスタを備えたシューズに関し、詳細には、かかと部分の脱着を容易にすることができるシューズに関するものである。
【背景技術】
【０００２】
従来、シューズを履く際には爪先からシューズの履き口に足を挿入し、最後に踵を入れて履くタイプのシューズが一般的である。
このタイプのシューズでは、最後に踵を入れる際に手の指先または靴ベラで踵とシューズの間に隙間を確保しつつ、指先または靴ベラの上に踵を滑らせながらシューズを履くが、指先を入れるとシューズと踵の間に指を挟んだり、指を抜いたりするときに摩擦で指を痛めることがあった。靴ベラを使用すれば、指を痛めることはないがシューズを履く度に靴ベラを用いるのは煩わしい。
【０００３】
また、シューズを脱ぐ際は一方の手で足首などを持ち、他方の手でシューズのかかと部を持って踵からシューズから抜いて足全体を靴から外すが、通常、踵はシューズにフィットさせているのでシューズを脱ぎづらいという問題があった。
【先行技術文献】
【特許文献】
【０００４】
【特許文献１】特開２００６−１３０２１１号公報
【発明の概要】
【発明が解決しようとする課題】
【０００５】
本発明は、アッパー側部後方からアッパー後部の間の適宜位置にスライドアジャスタを設けたシューズであって、脱着が極めて容易なシューズを提供することを目的とするものである。
【課題を解決するための手段】
【０００６】
本発明は、アッパー側部後方からアッパー後部の間の適宜位置にスライドアジャスタを設けたシューズであって、該スライドアジャスタはバンドとバックルからなり、バンドに形成した鋸歯状の係合溝にバックルの係合爪を係合させ該係止状態においてバンドはバックルに接近自在であるが後退不能とされたことを特徴とする。
【０００７】
前記アッパー側部後方と前記アッパー後部との間にスライドアジャスタを設けたことが好ましい。
前記アッパー後部にスライドアジャスタを設けたことが好ましい。
【０００８】
前記バックルと前記バンドとの間に伸縮性素材を設けたことが好ましい。
【０００９】
アッパー上部に横幅のサイズ調整をすることができるスライドアジャスタを設けたことが好ましい。  
【発明の効果】
【００１０】
本発明のシューズは、アッパー側部後方からアッパー後部の間に設けたスライドアジャスタを使用して、履き口のサイズを調整して脱着を容易にすることができる。
【図面の簡単な説明】
【００１１】
【図１】本発明のシューズの斜視図である。
【図２】スライドアジャスタ８の平面図（図２（１））と、同図のｚ−ｚ切断線における縦断側面図（図２（２））である。
【図３】本発明のシューズの他の実施形態を示す図である。
【図４】本発明のシューズの別の実施形態を示す図である。
【図５】本発明のシューズのさらに別の実施形態を示す背面図である。
【発明を実施するための形態】
【００１２】
以下、本発明に係るスライドアジャスタを備えたシューズの実施形態を図面に基づいて説明する。
図１（１）はシューズ２の斜視図であり、これらの図において、シューズ２は、ソール３、該ソール３に立設されるアッパー４とからなるシューズ本体６により主体が構成され、アッパー側部後方４ａとアッパー後部４ｂとの間の適宜位置にはスライドアジャスタ８が設けられている。
【００１３】
アッパー側部後方４ａとアッパー後部４ｂとの間に設けられるスライドアジャスタ８については図２を用いて後述するように、バンド１０とバックル２０とからなり、バンド１０はアッパー側部後方４ａに固定されバックル２０はアッパー後部４ｂに固定される。
本実施形態では、バンド１０をアッパー側部後方４ａに固定しバックル２０をアッパー後部４ｂに固定したが、バンド１０をアッパー後部４ｂに固定しバックル２０をアッパー側部後方４ａに固定しても良い。
【００１４】
次に図２を用いてスライドアジャスタ８を説明する。
図２にはバンド１０とバックル２０からなるスライドアジャスタが示されており、図２（１）はその平面図、図２（２）は図２（１）のｚ−ｚ切断線における縦断側面図である。
【００１５】
これらの図において、所要の長さ、幅、厚みを有するバンド１０の外表面には、先端（バックル２０に近い部分）から末端にかけて鋸歯状の係合溝１２が形成される。
【００１６】
バックル２０は、底板２１、これに対向する天井枠２２、および底板２１と天井枠２２とを接続する側板２３、２３とからなる偏平かつ筒状のバックル２４により主体が構成されている。バックル本体２４はバンド１０のスライド方向が挿通口として開口され、その内部はバンド１０の挿通空間２６となる。本実施形態では、底板２１の長手方向（バンド１０のスライド方向）の長さを天井枠２２の長手方向の長さよりも長くすることにより、シューズ２への取付を容易にすると共に、バンド１０の挿通がスムーズに行われるようにしている。
【００１７】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。本実施形態では、押圧部の高さを天井枠２２よりも低くしているが、当該高さについて特段の制限はない。押圧部３２の高さを天井枠２２と同じかそれよりも低いものとすれば、押圧部３２に当たって不用意に係合が解除されるのを防ぐことができる。
【００１８】
操作板３０の長手方向の中間地点には、連結軸３５が形成され、この連結軸３５は両側板２３、２３の上部内壁に連結されている。連結軸３５の断面形状は、円形、楕円形、その他の種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００１９】
本発明の操作板３０において、押圧部３２と連結軸３５間の横幅は、操作板３０の揺動と強度を満たす限りにおいてなるべく狭く設定されると共に、バックル本体２４においては、対向する天井枠２２、２２から、規制部材としての張出部２８、２８が内側に向かって水平方向に伸出している。この規制部材は、押圧部３２に垂直方向の力が不用意に作用するのを規制するための部材である。
【００２０】
図２に示す実施形態では、操作板３０の一端部（係合爪３１の設けられた側）を、対向する両側板２３、２３の内壁に連結している。当該連結は、操作板３０の隅角部から延びる屈曲した連結部材３６、３６によりなされており、押圧部３２を押し下げた後、押圧部３２から指を離した時点で操作板３０が元の水平状態に復元し易くしたものである。従って、連結部材３６の形状としてはこの他にも、波板等、種々のものを適用することができる。換言すれば、連結部材３６は操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠２２に連結しても良い。
【００２１】
操作板３０の一端部（係合爪３１の設けられた側）に設けた突起３３は、係合解除時に操作板３０の押圧部３２が必要以上に押し下げられるのを防止するためのストッパである。
また、符号３４も押圧部３２の押し下げ時に張出部２８の側面に当接して（図２（３）参照）、押圧部３２が必要以上に押し下げられ、操作板３０がバンド１０の上面に当たるのを防止するためのストッパである。これらのストッパ３３、３４はいずれか一方を備えれば十分である。
【００２２】
バックル２０は、可撓性を有する合成樹脂により成型することができ、特に、操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２３】
次に、上記スライドアジャスタの作用を説明する。図２（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２４】
バンド１０を押圧部３２側（図２（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図２（２）に示すように、係合爪３１が所定の係合溝１２と噛み合って係止しているので、バンド１０はバックル２０に対して進出自在であるが、後退不能である。
【００２５】
他方、バックル２０からバンド１０を後退させたり、引き抜いたりするには、操作板３０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００２６】
本発明において、スライドアジャスタ８は上記の構造を有するものに限らず、バンドに係合溝を設け、この溝にバックルのフックを弾性的に係合し、バンドとバックルの係止状態においてバンドはバックルに接近自在であるが後退不能とされたスライドアジャスタであれば、いずれの構造のものでも良く、本発明のシューズに適用することができる。
【００２７】
続いて、図１に示すシューズのサイズ調整方法を説明する。
シューズ２を履く際は、踵が入り易いサイズにスライドアジャスタ８を調整しておき、爪先からシューズ本体６に足を挿入し、爪先と踵がソール３に付いた状態において、アッパー後部４ｂを前方に押し込むことでスライドアジャスタ８のバンド１０をバックル２０の挿通空間２６内に進入させれば良い。
【００２８】
この操作によって、シューズ２のサイズを小さく調整することができるが、バンド１０とバックル２０を引き離そうとしても、スライドアジャスタ８の作用によって、シューズ２のサイズが大きくなることはない。シューズ２のサイズを大きくするには、スライドアジャスタ８の押圧部３２を指先等で押圧すれば良い。
【００２９】
本発明のシューズでは、予め踵が入り易いサイズに調整しておくことが可能であり、アッパー後部４ｂを前方に押し込む動作のみでシューズ２を足にフィットさせることができる一方、押圧部３２を指先等で押圧すればサイズを大きくすることが可能なため、脱着が極めて容易である。    
【００３０】
続いて、本発明の他の実施形態について図３を用いて説明する。
本実施形態では、バックル２０とバンドの間に伸縮性素材９が設けられている。伸縮性素材９を設けることでバックル２０とバンド１０との間に隙間を設けることなく、本発明のシューズを実現可能である。伸縮性素材９の材質は、合成樹脂製テープ、不織布、布状体、皮革、ゴムなど可撓性を有していれば特に限定されない。
【００３１】
次に、本発明の別の実施形態について図４を用いて説明する。
本実施形態では、これまで説明してきたスライドアジャスタ８に加えて、アッパー上部４ｃに横幅のサイズ調整をすることができるスライドアジャスタ８Ａが設けられている。
前記スライドアジャスタ８が主として踵部分のサイズ調整に用いられるのに対し、当該スライドアジャスタ８Ａは甲部分のサイズ調整に用いられる。
スライドアジャスタ８Ａは前記スライドアジャスタ８と同等の機構であればいずれの構造のものでも良い。
【００３２】
続いて、本発明のさらに別の実施形態について図５を用いて説明する。
本実施形態において、スライドアジャスタ８はアッパー後部４ｂ中央に設けられる。これにより履き口の横幅を調整することができるため、脱着が容易であることに加えてシューズ２を足にジャストフィットさせることが可能となる。
【００３３】
以上、スライドアジャスタを備えたシューズに係る実施形態について説明したが、スライドアジャスタ８はアッパー側部後方４ａからアッパー後部４ｂの範囲であればいずれの位置に設けても良く数量にも制限はない。
【符号の説明】
【００３４】
２    シューズ
３    ソール
４    アッパー
８    スライドアジャスタ
１０  バンド
２０  バックル
【図１】
2014217531.tif 000003
【図２】
2014217531.tif 000004
【図３】
2014217531.tif 000005
【図４】
2014217531.tif 000006
【図５】
2014217531.tif 000007